(57)【要約】【課題】複数の機能を有し、育児用品を１ヵ所にまとめて安全に保管することができる育児用多機能保管庫を提供する。【解決手段】本発明に係る育児用多機能保管庫は、隔壁１０によって区画された複数の機能部分を有する。前記複数の機能部分は、その内部に幼児用品及び／又は育児用品を適切な温度で保管する冷蔵／温蔵室２０と、前記幼児用品及び／又は前記育児用品を殺菌、乾燥及び衛生的に保管する殺菌／乾燥室３０と、室内湿度を調節するための加湿装置とを含む。【選択図】図１
2008525099.tif 000002
【特許請求の範囲】
【請求項１】
隔壁で区画された複数の機能部分を有する育児用多機能保管庫であって、
前記複数の機能部分は、
その内部に幼児用品及び／又は育児用品を適切な温度で保管する冷蔵／温蔵室と、
前記幼児用品及び／又は前記育児用品を殺菌、乾燥及び衛生的に保管する殺菌／乾燥室とを含むことを特徴とする育児用多機能保管庫。
【請求項２】
請求項１に記載の育児用多機能保管庫であって、
前記冷蔵／温蔵室は、
熱電素子と、
前記熱電素子に接続された、吸熱又は放熱を選択的に行う吸熱／放熱板と、
室内温度を検出する温度センサとを備えることを特徴とする育児用多機能保管庫。
【請求項３】
請求項１に記載の育児用多機能保管庫であって、
前記殺菌／乾燥室は、
前記殺菌／乾燥室の内部空間に紫外線を照射する紫外線殺菌灯と、
前記殺菌／乾燥室の前記内部空間を乾燥させるために、前記内部空間に熱風を送出する熱風送出装置とを備え、
前記熱風送出手段は、
前記熱風を前記殺菌／乾燥室の内部空間に送出する送風口と、
前記送出される熱風を生成するヒータと、
前記熱風を送風するファンとを有することを特徴とする育児用多機能保管庫。
【請求項４】
請求項３に記載の育児用多機能保管庫であって、
前記殺菌／乾燥室は、その内部の下側に、前記保管された用品から落下した水分を集水し排出するための集水容器を備えることを特徴とする育児用多機能保管庫。
【請求項５】
請求項１に記載の育児用多機能保管庫であって、
前記複数の機能部分は、室内湿度を調節するための加湿装置をさらに含むことを特徴とする育児用多機能保管庫。
【請求項６】
請求項５に記載の育児用多機能保管庫であって、
前記加湿装置は、
その内部に設けられた本体と、
前記本体の内部に設けられた、下向きの蓋を有する水容器が設置された水槽と、
前記水槽に連通された、水を水蒸気にするための振動子が設置された噴霧室と、
前記噴霧室の上側に設けられた、前記加湿装置の開閉ドアと接続される噴霧管及び噴射ノズルと、
前記噴霧室の下部に設けられた、前記水蒸気を外部に排出するための送風ファンとを備えることを特徴とする育児用多機能保管庫。
【請求項７】
請求項５に記載の育児用多機能保管庫であって、
前記加湿装置は、キットとして取り外し可能に設けられたことを特徴とする育児用多機能保管庫。
【請求項８】
請求項１に記載の育児用多機能保管庫であって、
前記複数の機能部分は、室内空気を浄化するための空気浄化装置をさらに含むことを特徴とする育児用多機能保管庫。
【請求項９】
請求項８に記載の育児用多機能保管庫であって、
前記空気浄化装置は、
当該空気浄化装置の一方の側壁に形成された、汚染物質を含有する空気が導入される空気入口と、
当該空気浄化装置の内部に設けられた、前記導入された空気から汚染物質を除去すべく、前記導入された空気が通過される複数のフィルタと、
当該空気浄化装置の他方の側壁に形成された、前記複数のフィルタを通過した浄化された空気が排出される空気出口と、
前記空気入口から前記空気出口への空気の流れを生成する送風ファンとを備えることを特徴とする育児用多機能保管庫。
【請求項１０】
請求項８に記載の育児用多機能保管庫であって、
前記空気浄化装置は、他の前記機能部分から取り外し可能であることを特徴とする育児用多機能保管庫。
【請求項１１】
請求項１に記載の育児用多機能保管庫であって、
１つ又は複数の前記機能部分は、その前面部に開閉ドアを備えることを特徴とする請求項１に記載の育児用多機能保管庫。
【請求項１２】
請求項１１に記載の育児用多機能保管庫であって、
前記冷蔵／温蔵室、前記殺菌／乾燥室、及び開閉ドアの内面に、複数の収容手段が設けられたことを特徴とする育児用多機能保管庫。
【請求項１３】
請求項１１に記載の育児用多機能保管庫であって、
前記開閉ドアは、ロック可能であることを特徴とする育児用多機能保管庫。
【請求項１４】
請求項１に記載の育児用多機能保管庫であって、
当該保管庫の前面に設けられた、前記機能部分を制御するための操作パネルをさらに備えることを特徴とする育児用多機能保管庫。
【請求項１５】
請求項１に記載の育児用多機能保管庫であって、
当該保管庫の外面に設けられた、少なくとも夜間に照明するための照明装置をさらに備えることを特徴とする育児用多機能保管庫。
【請求項１６】
請求項１に記載の育児用多機能保管庫であって、
当該保管庫の底面に設けられた、当該保管庫を容易に移動させるための移動輪をさらに備えることを特徴とする育児用多機能保管庫。
【発明の詳細な説明】
【技術分野】
【０００１】
本発明は育児用多機能保管庫（multi-functional child care storage）に関し、より詳しくは、幼児及びその保護者のためのカスタマイズされた育児用製品であって、幼児及び育児関連用品を１ヵ所にまとめて安全に保管することができる、並びに、冷蔵／温蔵室、殺菌乾燥器、及び加湿器又は空気浄化器などの様々な機能を提供することができる育児用多機能保管庫に関する。
【背景技術】
【０００２】
一般に、近年の生活水準の向上により、衛生状態についての関心がますます高まっている。また、出生率低下により、子供への投資及び関心が高まっている。
【０００３】
さらに、環境問題並びに食生活及び生活習慣の変化により、アトピー性皮膚炎及び様々なアレルギー疾患に罹る乳幼児が急速に増加している。また、核家族化及び出生率低下の傾向により１人の子供の世話にかける時間が増えたのにも拘わらず、女性の社会活動の増加により育児に費やせる時間は実際には減少している。
【０００４】
このような状況にも拘わらず、育児専用の家電機器や、育児を補助するための画期的な製品は、まだ市販されていない。そのため、例えば、幼児用及び育児関連用品を１ヵ所にまとめて衛生的に保管することができる育児専用の家電製品の開発が求められている。
【０００５】
つまり、幼児及び育児関連用品を１ヵ所にまとめて安全に保管することで、保護者の動線を短縮して育児時間及び作業強度を低減させることができる、並びに、様々な疾患を予防するための殺菌機能や、子供部屋の加湿機能又は空気浄化機能などの様々な機能を提供することができる画期的な装置はまだ提案されていない。
【０００６】
現在は、例えば、母乳、粉ミルク、幼児用医薬品、幼児用食品などは、台所の一般的な冷蔵庫の中に、他の様々な食料品などと共に保管されているため、臭いが混ざる及び衛生状態が悪化するという問題があった。また、保護者は、育児時に冷蔵庫のある場所まで絶えず移動する必要があるため、育児時間及び作業強度が増加するという問題点があった。
【０００７】
さらに、ベビーフードの多くは、乳幼児が直ぐに食べることができるように温める必要がある。そのため従来は、保護者は、電子レンジのある場所まで移動しなければならなかった。
【０００８】
一方、幼児は様々な細菌に対する免疫力が弱いため、授乳びん、幼児用食器類、ガーゼ、ハンカチ、おもちゃなどの幼児用品を殺菌する必要がある。しかしながら、そのことの困難性及び時間的な理由により、保護者の多くは、幼児用品を消毒しないまま使っているため、幼児の健康に悪影響が生じている。
【０００９】
近年は、台所などで使用する殺菌器が、家庭に普及している。しかしながら、従来の殺菌器は、台所用品及び料理用具に適合するように設計されているため、幼児用品の殺菌には不適当である。すなわち、幼児用品専用の殺菌器は、まだ提供されていない。
【００１０】
また、ほとんどの場合、幼児が主に生活する室内の湿度を調節するためには、一般的な加湿器を追加して購入する必要がある。
【００１１】
さらに、幼児が生活する室内空間を快適かつ衛生に保つためには、家庭用の空気浄化器が追加として必要になるため、さらなる費用がかかる。また、一般的な空気浄化器は、大人のために室内の汚染源を除去するように設計されているので、幼児のために使用するのには不適当であり得る。
【００１２】
必要であれば、育児のための冷蔵庫、殺菌器、加湿器、又は空気浄化器を全て追加的に購入して子供部屋に置くこともできる。しかしながら、これは、購入コストが多くかかるため、及び、空間利用性が低下するため、合理的ではない。
【００１３】
したがって、幼児用品及び育児関連用品を１ヵ所にまとめて安全に保管することができる、並びに、子供部屋に加湿機能又は空気浄化機能などを提供することができる育児用多機能製品が求められている。
【００１４】
関連技術としては、特許文献１の「陳列式冷蔵庫」には、浄水器、殺菌器、及び温蔵庫として機能することができる製品が開示されている。様々な機能を提供するこの製品は、主に飲食業で使用される。しかしながら、この製品は、飲食業の製品であるため、育児用品に対しては不適当である。
【００１５】
また、特許文献２の「幼児用授乳びん及び幼児用品の紫外線消毒器」には、幼児用品の内の授乳びんのみを殺菌することができる製品が開示されている。しかしながら、この製品は、少量の授乳びんのみを消毒可能なサイズに構成されているため、様々な幼児用品を殺菌する目的で通常に使用するのには不適当である。
【００１６】
【特許文献１】韓国特許出願公開第１０−２００４−７１０１１号明細書
【００１７】
【特許文献２】韓国特許出願公開第１０−２００３−９２９８５号明細書
【発明の開示】
【課題を解決するための手段】
【００１８】
したがって、本発明の目的は、冷蔵／温蔵室、殺菌乾燥器、加湿器、及び空気浄化器等の複数の機能を有し、育児用品を１ヵ所にまとめて安全に保管することができる、並びに、子供が主に生活する空間に対して加湿又は空気浄化機能を提供することができる育児用多機能保管庫（multi-functional child care storage）を提供することにある。
【００１９】
本発明のある態様によれば、複数の機能部分を有する育児用多機能保管庫であって、前記複数の機能部分が、その内部に幼児用品及び／又は育児用品を適切な温度で保管する冷蔵／温蔵室と、前記幼児用品及び／又は前記育児用品を殺菌、乾燥及び衛生的に保管する殺菌／乾燥室と、室内湿度を調節するための加湿装置とを含む育児用多機能保管庫が提供される。
【００２０】
本発明の他の態様によれば、隔壁で区画された複数の機能部分を有する育児用多機能保管庫であって、前記複数の機能部分が、その内部に幼児用品及び／又は育児用品を適切な温度で保管する冷蔵／温蔵室と、前記幼児用品及び／又は前記育児用品を殺菌、乾燥及び衛生的に保管する殺菌／乾燥室と、室内空気を浄化するための空気浄化装置とを含む育児用多機能保管庫が提供される。
【００２１】
本発明に係る育児用多機能保管庫は、その内部に、幼児及び育児用品を、衛生的かつ適切な温度で１ヵ所にまとめて保管することができるので、便利さ及び保管効率を最大化することができる。また、本発明に係る育児用多機能保管庫はキットとして作成することができるので、狭い空間に設置することができる。このことにより、効率的な空間利用が可能となる。さらに、本発明に係る育児用多機能保管庫によれば、育児に要するコストを低減させることができる、及び室内環境を育児が快適なように維持することができる。
【発明を実施するための最良の形態】
【００２２】
以下、添付した図面を参照しつつ、本発明の好適な実施形態について詳細に説明する。
【００２３】
図１は、本発明の一実施形態に係る育児用多機能保管庫を例示的に示す全体構成図である。図２は、本発明の一実施形態に係る育児用多機能保管庫の冷蔵／温蔵室を例示的に示す一部切り欠き斜視図である。図３は、本発明の一実施形態に係る育児用多機能保管庫の殺菌／乾燥室を例示的に示す部分断面図である。図４は、本発明の一実施形態に係る育児用多機能保管庫を例示的に示す平面図であり、加湿装置を示している。図５は、本発明の一実施形態に係る育児用多機能保管庫の加湿装置を例示的に示す断面図である。
【００２４】
図１に示すように、本発明に係る育児用多機能保管庫は、機能部分２０、３０、４０、すなわち、熱電素子を使用した冷蔵／温蔵室２０と、紫外線ランプを使用した殺菌／乾燥室３０と、室内の湿度を調節することができるキット型の加湿装置４０とを含んでいる。隔壁１０によって区画された各機能部分２０、３０、４０は、それらの前面部に、開閉のための開閉ドア２１、３１、４１を備えている。
【００２５】
機能部分２０、３０、４０は、垂直方向及び水平方向に適切に仕切られている。また、機能部分２０、３０、４０の外側は、子供の学習及び感性の発達に役立つように設計することができる。
【００２６】
さらに、本発明に係る幼児用保管庫の前面部の所定位置には、各機能部分２０、３０、４０を制御するためのスイッチ、ボタンなどを有するユーザーが操作するためのパネルを含む制御部５０が設けられている。
【００２７】
冷蔵／温蔵室２０は、その内部に、様々な幼児及び育児用品を適切な温度で保管することができる。図２に詳細に示すように、冷蔵／温蔵室２０の内部、及び開閉ドア２１の内面には、グリル型ブラケット、平板型ブラケット、ボックスなどの様々な収容手段２２が設けられている。
【００２８】
好ましくは、熱電素子２３が、冷蔵及び温蔵の機能のために使用される。さらに、熱電素子２３に接続された吸熱／放熱板２４が壁面に設けられる。
【００２９】
つまり、熱電素子２３を使用した冷蔵／温蔵システムは、騷音をほとんど発生しない、及び小型化することができる。また、冷媒を使用しないので、環境に優しい。したがって、このシステムは、育児が行われる室内での使用に適している。また、吸熱／放熱板２４は、熱電素子２３を流れる電流の方向に応じて、吸熱又は放熱を行う。
【００３０】
さらに、冷蔵／温蔵室２０は、温度を制御するために、室内の温度を検知する温度センサ２５を備えている。
【００３１】
冷蔵／温蔵室２０は、例えば、母乳（約３℃）、幼児用医薬品（約１２℃）、幼児用のスキンケア用品（約１５℃）などの様々な用品を、同時に保管することができるように構成することができる。
【００３２】
したがって、長期間保管する必要がある幼児及び育児用品を、変質することなく保管することができる。さらに、食べるために暖かい温度である必要がある幼児用食品を、子供が直ぐに食べられるように暖かい温度で保管することができる。
【００３３】
一方、図３に示すように、殺菌／乾燥室３０の内部、及び開閉ドア３１の内面には、様々な収容手段３２を設けることができる。収容手段３２は、その内部に、様々な幼児及び育児用品を、殺菌及び乾燥を行いながら収容することができる。
【００３４】
紫外線殺菌灯３４及び熱風送出手段３５が、殺菌乾燥機能のために使用される。熱風送出手段３５は、ヒータ３５ｂ及びファン３５ｃを有している。
【００３５】
つまり、清浄された用品が内部に収容されると、前記用品は紫外線殺菌灯３４から照射された紫外線によって殺菌され、送風口３５ａから送風された熱風によって乾燥させられる。
【００３６】
このとき、人体に有害な紫外線が、殺菌／乾燥室３０の開閉ドア３１から漏出する可能性がある。よって、紫外線の漏出を防止するために、殺菌／乾燥室３０は、開閉ドア３１が開放されている間は紫外線の照射が停止されるように構成することができる。また、殺菌／乾燥室３０の内部の下側には、乾燥プロセス中に保管された用品から落下した水分を集水して排出することができるように、集水容器３３が設けられる。
【００３７】
また、集水容器３３を設ける代わりに、前記水分を冷蔵／温蔵室２０の熱電素子２３に移送して、加熱して蒸発させるように構成することもできる。
【００３８】
図４及び図５に示すように、室内の湿度を調節するための加湿装置４０は、本発明に係る育児用多機能保管庫にキットとして設けられる。具体的には、加湿装置４０は、その上部を開放するための開閉ドア４１と、その内部に設置された本体４２とを有する。また、本体４２の噴霧室４３には、水から水蒸気を生成する振動子４５が設置される。また、噴霧室４３には、送風ファン４８のダクト４９と、噴霧管４４とが設置される。さらに、蓋４７ａで開閉される水容器４７が、水槽４６に逆さまに設置される。
【００３９】
噴霧室４３に設置された噴霧管４４は、加湿装置４０の開閉ドア４１に設けられた噴霧ノズル４４ａに接続される。
【００４０】
本体４２の水槽４６には、水が満たされた水容器４７が、蓋４７ａが下側を向いた状態で設置されている。そして、前記水は振動子４５によって水蒸気化され、送風ファン４８で生成された風によって噴霧管４４及び噴霧ノズル４４ａを通って室内に排出される。
【００４１】
このようにして、子供部屋の湿度が調節される。
【００４２】
さらに、掃除のために本体４２を分離することができる。このことにより、衛生状態を改善することができる。
【００４３】
また、ここでは、振動子を使用した超音波式加湿器について説明したが、水を加熱することにより外部に供給する水蒸気を生成する加熱式加湿器を使用することもできる。
【００４４】
上述したように、前記機能部分は、様々な電気装置を備えている。そのため、前記電気装置を集中制御するための制御部５０が設けられている。制御部５０は、ユーザーが操作するためのパネルを有しており、電力消費を最小化するためのタイマー機能などの様々な機能が効果的に提供される。
【００４５】
また、前記機能部分の前面部に設けられた開閉ドア２１、３１、４１は、本発明に係る幼児用保管庫が幼児の近くに置かれる間は、安全のためにロックすることができる。
【００４６】
また、照明装置６０を設けることにより、本発明に係る幼児用保管庫は、例えば夜間に乳幼児が目を覚ました場合でも、効果的に使用することができる。
【００４７】
さらに、ユーザーが所望する場所まで押して移動させることができるように、本発明に係る幼児用保管庫の底面には、移動輪７０が設けられている。そして、電源コードの長さは、移動に応じて、自動的に引き出される及び巻き取られるように構成されている。
【００４８】
次に、本発明の他の実施形態について詳細に説明する。ただし、前述した実施形態と同様の機能を有する構成要素については、同じ符号を付して詳細な説明を省略する。
【００４９】
図６は、本発明の他の実施形態に係る育児用多機能保管庫を例示的に示す全体概略図である。
【００５０】
この育児用多機能保管庫は、熱電素子２３を使用した冷蔵／温蔵室２０と、紫外線ランプ３４を使用した殺菌／乾燥室３０と、複数のフィルタを使用した空気浄化装置１４０とを含んでいる。隔壁１０によって区画された各機能部分２０、３０、４０は、それらの前面部に、開閉のための開閉ドア２１、３１、４１を選択的に備えている。
【００５１】
機能部分２０、３０、４０は、垂直方向及び水平方向に適切に仕切られている。また、機能部分２０、３０、４０の外側は、子供の学習及び感性の発達に役立つように設計することができる。
【００５２】
さらに、この幼児用保管庫の前面部の所定位置には、各機能部分２０、３０、４０を制御するためのスイッチ、ボタンなどを有するユーザーが操作するためのパネルを含む制御部５０が設けられている。
【００５３】
図７の断面図に示すように、この育児用多機能保管庫は、本発明に係る育児用多機能保管庫が設置される室内環境の空気を浄化するための空気浄化装置１４０を備えている。具体的には、空気浄化装置１４０は、その内部に、複数の多機能性フィルタ１４５と、一方の側壁に形成された空気入口１４２と、他方の側壁に形成された空気出口１４４と、空気入口１４２から空気出口１４４側への空気の流れを生成する送風ファン１４３とを備えている。
【００５４】
送風ファン１４３の作動により、外部の汚染された空気が、空気入口１４２から継続的に吸い込まれる。吸い込まれた空気は、その後、複数の機能性フィルタ１４５を連続的に通過する。その結果、浄化された空気が、空気出口１４４から外部に排出される。
【００５５】
したがって、子供部屋における、排便などの不快臭や空気中の細菌及びホコリなどを低減させることができる。このことにより、環境をより快適にすることができる。
【００５６】
フィルタ１４５は、着脱可能に構成される。さらに、空気浄化装置１４０の動作は、通常モードと睡眠モードとに分けることができ、睡眠モードでは送風ファン１４３の騷音を相対的に低減させることができる。
【００５７】
上述した、冷蔵／温蔵室２０、殺菌／乾燥室３０、及び空気浄化装置１４０の３つの機能部分２０、３０、１４０は、隔壁１０によって区画された単一のユニットとして構成されている。しかし、空気浄化装置１４０を、着脱可能に構成することもできる。この場合、空気浄化装置１４０は、不要な場合には取り外すことができる。
【００５８】
上述したように、機能部分２０、３０、１４０は、電気装置を備えている。そのため、前記電気装置を集中制御するための制御部５０が設けられている。制御部５０は、ユーザーが操作するためのパネルを有しており、電力消費を最小化するためのタイマー機能などの様々な機能が効果的に提供される。
【００５９】
また、前記機能部分の前面部に設けられた開閉ドア２１、３１、４１は、本発明に係る幼児用保管庫が幼児の近くに置かれる間は、安全のためにロックすることができる。
【００６０】
以上説明した本発明の好適な実施形態によれば、主婦及び大人向けの機能を提供する従来の大半の家電製品とは異なり、幼児及び保護者のためのカスタマイズされた保管庫を提供することができる。このことにより、様々な機能と共に、最大化された便利さを提供することができる。さらに、本発明は、幼児の快適な生活に大きく貢献することができる。
【００６１】
また、子供が成長した後も、本発明に係る育児用多機能保管庫は、大人用化粧品や、食料品、ワインなどの保管庫として、加湿装置又は空気浄化装置と共に使用することができる。
【００６２】
上述したように、本発明に係る育児用多機能保管庫は、その内部に、幼児及び育児用品を衛生的かつ適切な温度で１ヵ所にまとめて保管することができので、便利さ及び保管効率を最大化することができる。また、本発明に係る育児用多機能保管庫はキットとして作成することができるので、狭い空間に設置することができる。このことにより、効率的な空間利用が可能となる。さらに、本発明に係る育児用多機能保管庫によれば、育児に要するコストを低減させることができる、及び室内環境を育児が快適なように維持することができる。
【００６３】
以上、本発明の好適な実施形態について説明したが、上記の実施形態は例示的なものであり、本発明を限定するものではない。したがって、特許請求の範囲で規定された本発明の技術的思想の範囲から逸脱しない範囲内で様々な変更が可能であり、それらも本発明の技術的範囲に含まれる。
【図面の簡単な説明】
【００６４】
【図１】本発明の一実施形態に係る育児用多機能保管庫を例示的に示す全体構成図である。
【図２】本発明の一実施形態に係る育児用多機能保管庫の冷蔵／温蔵室を例示的に示す一部切り欠き斜視図である。
【図３】本発明の一実施形態に係る育児用多機能保管庫の殺菌／乾燥室を例示的に示す部分の断面図である。
【図４】本発明の一実施形態に係る育児用多機能保管庫を例示的に示す平面図であり、加湿装置を示している。
【図５】本発明の一実施形態に係る育児用多機能保管庫の加湿装置を例示的に示す断面図である。
【図６】本発明の他の実施形態に係る育児用多機能保管庫を例示的に示す全体概略図である。
【図７】本発明の他の実施形態に係る育児用多機能保管庫の空気浄化装置を例示的に示す断面図である。
【図１】
2008525099.tif 000003
【図２】
2008525099.tif 000004
【図３】
2008525099.tif 000005
【図４】
2008525099.tif 000006
【図５】
2008525099.tif 000007
【図６】
2008525099.tif 000008
【図７】
2008525099.tif 000009
【国際調査報告】
2008525099.tif 000010
2008525099.tif 000011
2008525099.tif 000012